(57)【要約】【課題】  洗濯及び脱水動作時に発生する内槽の偏り及び振動を防止し得る洗濯機を提供しようとする。【解決手段】  ケースの内部に収納支持されて洗濯水が貯留される外槽１２と、該外槽１２の内部に配設されて洗濯物を収容し、回転されながら洗濯物の洗濯動作及び脱水動作を行う内槽１４と、該内槽１４の下方に装着されて該内槽１４の回転時に発生する振動を低減させる下部バランサー８０と、を包含して構成する。【選択図】      図１
2004261589.tif 000002
【特許請求の範囲】
【請求項１】
ケースの内部に収納支持されて洗濯水が貯留される外槽と、
該外槽の内部に配設されて洗濯物を収容し、回転されながら洗濯物の洗濯動作及び脱水動作を行う内槽と、
該内槽の下方に装着されて該内槽が回転されるとき発生する振動を低減させる下部バランサーと、を包含して構成されることを特徴とする洗濯機。
【請求項２】
前記内槽の上方に装着されて該内槽が回転されるとき発生する振動を低減させる上部バランサーが更に装着して包含されることを特徴とする請求項１に記載の洗濯機。
【請求項３】
前記下部バランサーは、
前記内槽の下面と外側壁面間に装着されて該内槽の下面と外側壁面との間に流体が充填される充填空間を形成するように構成されたベースプレートと、
該ベースプレートの内部に所定間隔をおいて放射状に複数区画設置されることで前記充填空間を複数の区画室に区画形成し、それら各区画室の内部に充填される流体が相互流出入する流路がそれぞれ切削形成される隔壁と、
から構成されることを特徴とする請求項１に記載の洗濯機。
【請求項４】
前記ベースプレートは、
断面円弧状に湾曲形成された円板部と、
該円板部の両方端に上方向に屈曲されて前記内槽の下部外側壁面に密着固定される環状の外側壁と、
前記円板部の内側底面から突成されて前記内槽の下面外側壁面に密着固定される環状の内側壁と、
から構成されることを特徴とする請求項３に記載の洗濯機。
【請求項５】
前記ベースプレートの内部には、円周方向に長く形成されて前記隔壁を内側隔壁と外側隔壁とに区画する補強リブが形成されることを特徴とする請求項４に記載の洗濯機。
【請求項６】
前記内側隔壁は、前記内側壁又は前記補強リブから所定間隔をおいて配置されることを特徴とする請求項５に記載の洗濯機。
【請求項７】
前記外側隔壁は、前記外側壁又は前記補強リブから所定間隔をおいて配置されることを特徴とする請求項５に記載の洗濯機。
【請求項８】
前記ベースプレートの円板部は、断面円弧状に湾曲形成されることを特徴とする請求項４に記載の洗濯機。
【請求項９】
前記隔壁は、前記ベースプレートの内周側に傾斜して形成されることを特徴とする請求項３に記載の洗濯機。
【請求項１０】
前記流路は、所定幅及び深さを有するグルーブ状に切削形成されることを特徴とする請求項３に記載の洗濯機。
【請求項１１】
前記下部バランサーは、
前記内槽の下面外側壁に固定されるカバーと、
該カバーが被されて該カバーと一緒に流体が充填される充填空間を形成するベースプレートと、
前記充填空間の内部に所定間隔をおいて放射状に複数区画設置されることで前記充填空間を複数の区画室に区画形成し、それら各区画室の内部に充填される流体が相互流出入する流路がそれぞれ切削形成される隔壁と、
から構成されることを特徴とする請求項１に記載の洗濯機。
【発明の詳細な説明】
【技術分野】
【０００１】
本発明は洗濯機に係るもので、詳しくは、洗濯槽の下方にバランサーを装着することで、前記洗濯槽の回転時に発生する振動を低減し得る洗濯機に関するものである。
【背景技術】
【０００２】
従来の洗濯機においては、図１１に示したように、洗濯機の外観を形成し、上面が選択的に開放されるケース１１０と、該ケース１１０の内部に配設され、その内部に洗濯水が貯留される外槽１１２と、該外槽１１２の内部に配設されて洗濯物を収容し、回転されながら洗濯物の洗浄動作及び脱水動作を行う内槽１１４と、該内槽１１４の内部底面に設置され、回転されながら洗濯物と洗濯水との攪拌（ａｇｉｔａｔｉｎｇ）動作を行う洗濯板１１６と、前記内槽１１４に該内槽１１４と一緒に回転するように連結された管状の脱水軸１１８と、該脱水軸１１８の内部空間に収納されて前記洗濯板１１６に連結され、前記脱水軸１１８と相対回転しながら前記洗濯板１１６を回転させる洗濯軸１２０と、それら脱水軸１１８及び洗濯軸１２０を回転させるための駆動力を発生する駆動モータ１２２と、前記内槽１１４の上方に装着されて該内槽１１４の回転時に発生する振動を低減させる上部バランサー１２４と、を包含して構成されている。
【０００３】
このような従来の洗濯機においては、前記駆動モータ１２２が駆動されると、前記洗濯板１１６が回転されながら前記内槽１１４の内部に収容された洗濯物の洗濯動作を行い、洗濯動作が終了されると、前記洗濯板１１６と前記内槽１１４とが一体で回転されながら脱水動作を行う。
【０００４】
然るに、このような従来の洗濯機においては、脱水動作のとき、洗濯物が収容された前記内槽１１４の高速回転により振動が発生し、このような振動は、前記上部バランサー１２４によりある程度吸収されるが、前記内槽１１４の下方に不均衡が生じる場合は振動の程度が非常に大きくなるため、このような前記内槽１１４の下方の振動により洗濯機の性能が低下されるという不都合な点があった。
【発明の開示】
【発明が解決しようとする課題】
【０００５】
本発明は、このような従来の課題に鑑みてなされたもので、本発明の目的は、内槽の下方にバランサーを装着することで、前記内槽の回転により発生する振動を效果的に低減し得る洗濯機を提供しようとするものである。
【課題を解決するための手段】
【０００６】
このような目的を達成するため、本発明に係る洗濯機においては、ケースの内部に収納支持されて洗濯水が貯留される外槽と、該外槽の内部に回転可能に収納された内槽と、該内槽の下方に装着されて該内槽の回転時に発生する振動を低減させる下部バランサーと、を包含して構成されることを特徴とする。
【発明の効果】
【０００７】
以下に説明するように、本発明に係る洗濯機においては、内槽が回転するとき、該内槽が一方に偏ることを防止するため、該内槽の上方だけでなく下方にもバランサーを装着することで、洗濯機の洗濯過程及び高速脱水時にも振動を画期的に減少し得るという効果がある。
【０００８】
又、本発明の第２及び第３実施形態のように、外槽、内槽、洗濯板及び回転軸が同一軸上に位置されていない振動型洗濯機の場合は、前記内槽の偏り及び振動が発生する憂いが増加されるが、この場合、前記内槽の下方に下部バランサーを装着して該内槽の振動を防止するため、洗濯機の性能を向上し得るという効果がある。
又、洗濯機の内槽と外槽間のデッドエリアを活用することで、洗濯時の洗濯水及び洗剤の量及び洗濯時間を減らすため、洗濯機の効率を向上し得るという効果がある。
【発明を実施するための最良の形態】
【０００９】
以下、本発明に係る洗濯機の第１実施形態に対して説明する。
図１は本発明に係る洗濯機の第１実施形態の構造を示した縦断面図で、図示されたように、本発明に係る洗濯機の第１実施形態においては、洗濯機の外観を形成し、上面が選択的に開放されるケース１０と、該ケース１０の内部に収納配設され、その内部に洗濯水が貯留される外槽１２と、該外槽１２の内部に収納配設されて洗濯物を収容し、回転されながら洗濯物の洗濯動作及び脱水動作を行う内槽１４と、該内槽１４の内部底面に設置され、回転されながら洗濯物と洗濯水の攪拌動作を行う洗濯板１６と、前記内槽１４に該内槽１４と一体に連結されて回転する、内部に空間が形成された管状の脱水軸１８と、該脱水軸１８の内部に収納されて前記洗濯板１６に連結され、前記脱水軸１８と相対回転しながら前記洗濯板１６を回転させる洗濯軸２０と、それら脱水軸１８及び洗濯軸２０を回転させるための駆動力を発生する駆動モータ２２と、前記内槽１４の上方に装着されて該内槽１４の回転時に発生する振動を低減させる上部バランサー２４と、前記内槽１４の下方に装着されて該内槽１４が回転されるとき該内槽１４の下方の不均衡を防止する下部バランサー８０と、を包含して構成されている。
【００１０】
且つ、前記上部バランサー２４は、前記内槽１４の上部内側壁の縁面に装着され、その内部に流体が充填されることで、前記内槽１４が回転されるとき該内槽１４の上方の不均衡を防止するようになっている。
【００１１】
又、前記下部バランサー８０は、図２及び図３に示したように、前記内槽１４の下面と外側壁面間に装着されて該内槽１４の下面と外側壁面との間に流体が充填される充填空間を形成するように構成されたベースプレート９０と、該ベースプレート９０の内部に所定間隔をおいて放射状に複数区画設置されることで前記充填空間を複数の区画室に区画形成し、それら各区画室の内部に充填される流体が相互流出入する流路８７が切削形成された隔壁８６とから構成されている。前記下部バランサー８０に充填される流体としては通常塩水が使用されるが、これに限定されず他の種類の流体を使用することもできる。
【００１２】
即ち、前記ベースプレート９０は、断面円弧状に湾曲形成された円板部８３と、該円板部８３の両方端に上方向に屈曲されて前記内槽１４の下面外側壁面に密着固定される環状の外側壁８１と、前記円板部８３の内側底面から突成されて前記内槽１４の下面外側壁面に密着固定される環状の内側壁８２とから構成される。ここで、前記ベースプレート９０の円板部８３は、洗濯機内部の他部品の配設位置を考慮して前記内槽１４の下面外側壁面に沿う曲面に形成される。
【００１３】
又、前記下部バランサー８０の剛性を増加させながら流体の充填される充填空間の数を増加させるため、前記ベースプレート９０の内部に円周方向に長く形成されて前記隔壁８６を内側隔壁８４と外側隔壁８５とに区画する補強リブ８８が形成される。
且つ、前記外側隔壁８５に形成される流路８７は、所定幅及び深さを有するグルーブ状に切削形成し、前記内側隔壁８４には別途の流路を形成せずに、図４に示したように、前記内側隔壁８４を中心側に所定角度傾斜するように切削形成することで、各充填空間の流体が相互流動し得る流路９４を形成することができる。
【００１４】
又、図５〜図７に示したように、前記内側隔壁８４を前記内側壁８２又は前記補強リブ８８から所定間隔をおいて配置することでそれら間隔に流路９５又は９７を形成し、前記外側隔壁８５を前記外側壁８１又は前記補強リブ８８から所定間隔をおいて配置することでそれら間隔に流路９６又は９８を形成することもできる。
一方、前記ベースプレート９０は前記内槽１４の下面外側壁面に直接固定されるが、これに限定されることなく、図８に示したように、別途のカバー９１を前記ベースプレート９０の上方である前記内槽１４の下面と前記ベースプレート９０間に設置することもできる。
【００１５】
以下、このように構成された本発明に係る洗濯機の第１実施形態の動作に対して説明する。
まず、洗濯動作のとき、前記駆動モータ２２が駆動されると、該駆動モータ２２に連結された洗濯軸２０が回転され、該洗濯軸２０の回転により前記内槽１４の内部の洗濯板１６が回転することで前記内槽１４内の洗濯物及び洗濯水が相互攪拌され、洗濯物と洗濯水間の摩擦により洗濯物の洗濯が行われる。
【００１６】
次いで、洗濯機の洗濯動作が終了されると、前記外槽１２の洗濯水が排水され、前記駆動モータ２２が回転により、該駆動モータ２２に連結された前記脱水軸１８が回転される。
その後、前記脱水軸１８の回転により前記内槽１４が高速に回転されることで、洗濯物に包含された水分が遠心力により前記外槽１２側に排出されるが、このとき、前記内槽１４の上方に設置された前記上部バランサー２４により該内槽１４の上方の均衡が維持され、特に、該内槽１４の下方に設置された前記下部バランサー８０により該内槽１４の振動が防止される。
【００１７】
即ち、前記内槽１４が回転により偏るとき、前記下部バランサー８０のベースプレート９０の各隔壁８６間に充填される流体が、前記隔壁８６に形成された流路８７を通して前記内槽１４が偏る方向の反対方向に流動されることで、前記内槽１４の不均衡が防止されるため、前記内槽１４に振動が発生することを抑制することができる。更に、前記下部バランサー８０により前記内槽１４の重心が下方に移動するため、前記内槽１４の不均衡を予め防止することができる。
一方、前記下部バランサー８０は、前記内槽１４が高速に回転される脱水動作時だけでなく、低速に回転される洗濯動作時にもその効果を得ることができるし、本発明の第１実施形態における設置位置に限定されることなく、洗濯機の形態によって多様な位置に適用することができる。
【００１８】
このように構成及び動作される本発明に係る洗濯機の第１実施形態においては、内槽が回転されるとき、該内槽が一方に偏ることを防止するため、該内槽の上方だけでなく下方にもバランサーを装着することで、洗濯機の洗濯過程及び高速脱水時にも振動を画期的に減殺し得るという効果がある。又、前記内槽の下方に重量を有する下部バランサーが装着されることで、該内槽の重心がその下方に移動するため、該内槽の不均衡を予め防止し得るという効果がある。又、前記内槽の下方に下部バランサーを装着することで、該内槽と外槽間のデッドエリアを活用し得るだけでなく、前記下部バランサーが占有する容積だけ洗濯水及び洗剤の量を低減することができるし、給水時間の短縮によって洗濯時間を短縮し得るという効果がある。
【００１９】
以下、本発明に係る洗濯機の第２実施形態に対して説明する。
図９は本発明に係る洗濯機の第２実施形態の構造を示した縦断面図で、図示されたように、本発明に係る洗濯機の第２実施形態においては、ケースの内部に配設される円筒状の外槽２１２と、該外槽２１２の内部に該外槽２１２の中心軸と偏心して中心軸が配設された内槽２１４と、該内槽２１４の内部下方に該内槽２１４の中心軸と同心に回転自在に装着された洗濯板２１６と、前記内槽２１４に連結されて前記外槽２１２の中心軸と同心に嵌合された中空の脱水軸２１８と、該脱水軸２１８の内部に収納されて該脱水軸２１８に相対回転される洗濯軸２２０と、該洗濯軸２２０の上方に該洗濯軸２２０と偏心して設置され、前記洗濯板２１６の中心軸と同心に連結されて、該洗濯板２１６と一緒に前記洗濯軸２２０を中心に旋回される偏心軸２２６と、前記洗濯軸２２０の上方の前記偏心軸２２６の反対方向に偏心して設置されて、前記内槽２１４及び前記洗濯板２１６が前記脱水軸２１８及び前記洗濯軸２２０を中心に旋回されるとき、その偏心された重量の偏りを補償するカウンタウェイト２２８と、前記脱水軸２１８及び前記洗濯軸２２０を回転させるための駆動力を発生する駆動モータ２２２と、それら脱水軸２１８及び洗濯軸２２０に間断的に噛合されて、それら脱水軸２１８及び洗濯軸２２０の噛合を解除して前記洗濯軸２２０のみを回転させるクラッチ２３０と、前記内槽２１４の上方に装着されて該内槽２１４の回転時に発生する振動を低減させる上部バランサー２２４と、前記内槽２１４の下方に装着されて該内槽２１４の下方の不均衡を防止して該内槽２１４の回転時に発生する振動を低減させる下部バランサー２８０と、を包含して構成されている。
【００２０】
ここで、前記下部バランサー２８０は、本発明の第１実施形態の構造と同様に構成される。
以下、このように構成された本発明に係る洗濯機の第２実施形態の動作に対して説明する。
まず、洗濯動作のとき、前記駆動モータ２２２の駆動力が前記洗濯軸２２０に伝達されて該洗濯軸２２０が回転されると、前記洗濯軸２２０に偏心して設置された偏心軸２２６及びカウンタウェイト２２８が前記洗濯軸２２０を中心に旋回される。このとき、前記洗濯板２１６は、前記内槽２１４の底面と滑りを発生しながら前記洗濯軸２２０を中心に旋回され、持続的な攪拌動作を行いながら洗濯物を洗濯する。このとき、前記洗濯軸２２０を基準に旋回される前記洗濯板２１６の不均衡は、前記カウンタウェイト２２８により補償される。
【００２１】
次いで、洗濯機の洗濯動作が終了されると、前記外槽２１２の洗濯水が排水されながら脱水動作が始まる。即ち、前記クラッチ２３０により前記脱水軸２１８と前記洗濯軸２２０とが噛合され、前記駆動モータ２２２の回転により、該駆動モータ２２２に連結された前記脱水軸２１８と前記洗濯軸２２０とが一体で回転される。その後、前記脱水軸２１８の回転により前記内槽２１４が該脱水軸２１８の中心に偏心して回転されることで、洗濯物に包含された水分が遠心力により前記外槽２１２側に排出される。
【００２２】
且つ、前記内槽２１４が前記脱水軸２１８の中心に偏心して回転されるため、前記内槽２１４が回転されるとき、該内槽の偏り及び振動が発生する憂いがあるが、前記内槽２１４の下面外側壁面に装着された前記下部バランサー２８０の作用により前記内槽２１４の偏り及び振動が防止される。このとき、前記下部バランサー２８０の作用は、本発明の第１実施形態で詳述した通りである。
【００２３】
このように構成及び動作される本発明に係る洗濯機の第２実施形態においては、内槽が回転されるとき、該内槽が一方に偏ることを防止するため、該内槽の上方だけでなく下方にもバランサーを装着することで、洗濯機の洗濯過程及び高速脱水時にも振動を画期的に減殺し得るという効果がある。特に、本発明の第２実施形態のように、外槽、内槽、洗濯板、洗濯軸及び脱水軸が同一軸上に位置されていない振動型洗濯機の場合は、前記内槽の偏り及び振動が発生する憂いが非常に大きいが、前記内槽の下方に下部バランサーを装着することで、該内槽の振動を防止することができる。
【００２４】
以下、本発明に係る洗濯機の第３実施形態に対して説明する。
図１０は本発明に係る洗濯機の第３実施形態の構造を示した縦断面図で、本発明に係る洗濯機の第３実施形態においては、ケースの内部に配設される中空円筒状の外槽３１２と、該外槽３１２の内部に収納配設された内槽３１４と、該内槽３１４に連結されて一体で回転される中空の脱水軸３１８と、該脱水軸３１８の内部に該脱水軸３１８に対して相対回転が可能に収納された洗濯軸３２０と、それら脱水軸３１８及び洗濯軸３２０を回転させるための駆動力を発生する駆動モータ３２２と、前記洗濯軸３２０の上部に該洗濯軸３２０の中心から所定間隔をおいて、該洗濯軸３２０の中心軸と所定角度傾斜されて形成された傾斜偏心軸３２６と、該傾斜偏心軸３２６と同心をなして、前記洗濯軸３２０の回転により該洗濯軸３２０を中心に旋回される洗濯板３１６と、前記洗濯軸３２０の上方の前記偏心軸３２６の反対方向に設置されて、前記洗濯板３１６が前記洗濯軸３２０を中心に旋回されるとき、その偏心された重量の偏りを補償するカウンタウェイト３２８と、前記内槽３１４の上方に装着されて該内槽３１４の回転時に発生する振動を低減させる上部バランサー３２４と、前記内槽３１４の下方に装着されて該内槽３１４の下方の不均衡を防止して該内槽３１４の回転時に発生する振動を低減させる下部バランサー３８０と、を包含して構成されている。
【００２５】
ここで、前記下部バランサー３８０は、本発明の第１実施形態の構造と同様に構成される。
以下、このように構成された本発明に係る洗濯機の第３実施形態の動作に対して説明する。
【００２６】
まず、洗濯動作のとき、前記駆動モータ３２２の駆動力が前記洗濯軸３２０に伝達されて該洗濯軸２２０が回転されると、該洗濯軸３２０に傾斜偏心して設置された傾斜偏心軸３２６及びカウンタウェイト３２８が前記洗濯軸３２０を中心に旋回され、前記洗濯板３１６は、前記内槽３１４の底面と滑りを発生しながら前記洗濯軸３２０を中心に回転し、持続的な攪拌動作を行いながら洗濯物を洗濯するが、このとき、前記洗濯板３１６の任意の点は、前記洗濯軸３２０の回転によって該洗濯軸３２０に対して上下に昇降され、且つ、前記洗濯軸３２０を基準に前記傾斜偏心軸３２６による洗濯板３１６の不均衡は、前記傾斜偏心軸３２６の反対側に設置されたカウンタウェイト３２８により補償される。
【００２７】
次いで、洗濯機の洗濯動作が終了されると、前記外槽３１２の洗濯水が排水されながら脱水動作が始まる。即ち、前記駆動モータ３２２の回転により、該駆動モータ３２２に連結された前記脱水軸３１８が回転し、該脱水軸３１８の回転により前記内槽３１４が該脱水軸３１８を中心に高速に回転することで、洗濯物に包含された水分が遠心力により前記外槽３１２側に排出される。
【００２８】
このとき、前記内槽３１４が前記脱水軸３１８を中心に高速に回転されるため、前記内槽３１４に振動が発生する憂いがあるが、前記内槽３１４の下面外側壁に装着された前記下部バランサー３８０の作用により前記内槽３１４の振動が防止される。ここで、前記下部バランサー３８０の作用は、前記第１実施形態と同様である。
【００２９】
このように構成されて動作される本発明に係る洗濯機の第３実施形態においては、内槽の回転時に、該内槽が一方に偏ることを防止するため、該内槽の上方は勿論で下方にもバランサーを装着することで、洗濯機の洗濯過程及び高速脱水時にも振動を画期的に減少し得るという効果がある。
【図面の簡単な説明】
【００３０】
【図１】本発明に係る洗濯機の第１実施形態の構造を示した縦断面図である。
【図２】本発明に係る洗濯機の第１実施形態の下部バランサーを示した斜視図である。
【図３】図２のＩＶ−ＩＶ線縦断面図である。
【図４】図２の下部バランサーの変形例を示した斜視図である。
【図５】図２の下部バランサーの他の変形例を示した斜視図である。
【図６】図５の断面図である。
【図７】図２の下部バランサーの又他の変形例を示した断面図である。
【図８】図２の下部バランサーの又他の変形例を示した断面図である。
【図９】本発明に係る洗濯機の第２実施形態の構造を示した縦断面図である。
【図１０】本発明に係る洗濯機の第３実施形態の構造を示した縦断面図である。
【図１１】従来の洗濯機の構造を示した縦断面図である。
【符号の説明】
【００３１】
１０…ケース
１２、２１２、３１２…外槽
１４、２１４、３１４…内槽
１６、２１６、３１６…洗濯板
１８、２１８、３１８…脱水軸
２０、２２０、３２０…洗濯軸
２２、２２２、３２２…駆動モータ
２４、２２４、３２４…上部バランサー
８０、２８０、３８０…下部バランサー
８１…外側壁
８２…内側壁
８３…円板部
８４…内側隔壁
８５…外側隔壁
８６…隔壁
８７、９４、９５、９６、９７、９８…流路
８８…補強リブ
９０…ベースプレート
９１…カバー
２２６、３２６…偏心軸
２２８、３２８…カウンタウェイト
２３０…クラッチ
【図１】
2004261589.tif 000003
【図２】
2004261589.tif 000004
【図３】
2004261589.tif 000005
【図４】
2004261589.tif 000006
【図５】
2004261589.tif 000007
【図６】
2004261589.tif 000008
【図７】
2004261589.tif 000009
【図８】
2004261589.tif 000010
【図９】
2004261589.tif 000011
【図１０】
2004261589.tif 000012
【図１１】
2004261589.tif 000013